(57)【特許請求の範囲】
【請求項１】
水貯留浸透施設を構成する貯水空間に設置され、それぞれが水平方向に隣接配置され且つ垂直方向に積層されることにより骨格ブロック構造体を形成する骨格ブロックであって、
前記骨格ブロックは、互いに一体に連結された複数の支持骨部によって構成され、上面及び下面を有する平板状の基台を備え、
前記基台には、
前記複数の支持骨部のうち隣り合う第１の支持骨部と第２の支持骨部との間の空間における前記基台の厚さ方向の前記上面側の位置に、前記第１及び第２の支持骨部から一体に前記上面に沿う方向に延在する上補強板が形成され、
前記複数の支持骨部のうち前記第２の支持骨部に対して前記第１の支持骨部と反対側に位置する第３の支持骨部と前記第２の支持骨部との間の空間における前記厚さ方向の前記下面側の位置に、前記第２及び第３の支持骨部から一体に前記下面に沿う方向に延在する下補強板が形成され、
前記下補強板、前記第２の支持骨部及び前記上補強板が、一体連続して前記基台の一部を形成している、
骨格ブロック。
【請求項２】
前記基台には、前記上面から立設し、他の骨格ブロックの基台に形成された嵌合穴に先端が挿入される錘台形状の支持体が形成され、
前記第１及び第２の支持骨部のそれぞれは、前記複数の支持骨部のうち、前記支持体の基部を囲む形状を備えた支持骨部であり、
前記第１及び第２の支持骨部にて囲まれた環状領域にて前記上補強板が形成された、
請求項１に記載の骨格ブロック。
【請求項３】
前記基台は、正方形状に形成され、
前記基台には、前記上面から立設し、他の骨格ブロックの基台に形成された嵌合穴に先端が挿入される錘台形状の支持体が２つ形成され、
前記基台の上面には、他の骨格ブロックの基台に形成された前記支持体の先端が挿入される前記嵌合穴が２つ形成され、
前記第１及び第２の支持骨部のそれぞれは、前記複数の支持骨部のうち、前記基台の外周を構成する一組の平行な２辺に対応する位置を両端部とし他の一組の２辺と平行に延びる支持骨部であり、
前記第１及び第２の支持骨部にて囲まれた細長の方形領域にて前記上補強板が形成され
た、
請求項１に記載の骨格ブロック。
【発明の詳細な説明】
【技術分野】
【０００１】
本発明は、ビルあるいは集合住宅、特に団地、学校、病院などにおいて、雨水等を防火用や散水用、あるいは洪水防止用等として使用すべく貯水するための貯留施設、あるいは降水を一時的に貯水施設に蓄えておいて、少しずつ浸透させる浸透施設に用いられる骨格ブロックに関する。
【背景技術】
【０００２】
昨今では、都市化に伴う土地の被覆により、雨水の地下浸透能力の低下が著しく、道路冠水や施設浸水の被害が多発しており、新規開発地域では雨水流出対策をとることが多くなってきている。従来から、河川の水や雨水等を地中に貯水する貯水施設を構成する貯水空間に設置される骨格ブロックが知られている。通常、この骨格ブロックは、複数の骨格ブロックが水平方向に隣接配置され垂直方向に積層された骨格ブロック構造体を構成するために使用される。この骨格ブロック構造体が、貯水空間内に設置される（例えば、特許文献１を参照）。
【０００３】
係る貯水空間においては、周囲から受ける土圧や水圧に対処するための強度を確保する必要がある。上述のように、貯水空間内に骨格ブロック構造体を設置することにより、周囲から受ける土圧や水圧を骨格ブロック構造体で受け止めることができる。この結果、主として水平方向の土圧や水圧に対する貯水空間の強度が高まる。なお、本明細書において、「強度」とは、変形や破壊に対する抵抗力（変形のし難さ、破壊のされ難さ）を指す。
【先行技術文献】
【特許文献】
【０００４】
【特許文献１】特開２００８−３８４５７号公報
【発明の概要】
【発明が解決しようとする課題】
【０００５】
上記文献に記載された骨格ブロックは、互いに一体に連結された複数の支持骨部によって構成され、上面及び下面を有する平板状の基台を備えている。複数の支持骨部とは、具体的には、外周フレームと、その外周フレームの内側空間に外周フレームと一体に形成された複数のリブである。
【０００６】
本発明者は、係る基台を備えた骨格ブロックの水平方向の強度を高めるため、隣接する支持骨部の間の空間における基台の厚さ方向の下面側の位置に、隣接する支持骨部から一体に下面に沿う方向に延在する補強板を設けることを既に検討してきた。
【０００７】
水貯留浸透施設の設置環境によっては、狭い範囲に施設を設置する必要があるが、この場合、水貯留浸透施設の貯留部の深さを深くする必要がある。貯留部を深くすると、骨格ブロックに対する周囲からの土圧や水圧が大きくなる。土圧や水圧に対する貯水空間の強度確保と向上の観点から、骨格ブロックの水平方向の強度を出来る限り高めることが大きな課題となる。
【０００８】
本発明は、上述した事情に鑑みてなされたものであり、その目的は、水平方向の強度が高い骨格ブロックを提供することにある。
【課題を解決するための手段】
【０００９】
前述した目的を達成するために、本発明に係る骨格ブロックは、下記（１）〜（３）を特徴としている。
【００１０】
（１）
水貯留浸透施設を構成する貯水空間に設置され、それぞれが水平方向に隣接配置され且つ垂直方向に積層されることにより骨格ブロック構造体を形成する骨格ブロックであって、
前記骨格ブロックは、互いに一体に連結された複数の支持骨部によって構成され、上面及び下面を有する平板状の基台を備え、
前記基台には、
前記複数の支持骨部のうち隣り合う第１の支持骨部と第２の支持骨部との間の空間における前記基台の厚さ方向の前記上面側の位置に、前記第１及び第２の支持骨部から一体に前記上面に沿う方向に延在する上補強板が形成され、
前記複数の支持骨部のうち前記第２の支持骨部に対して前記第１の支持骨部と反対側に位置する第３の支持骨部と前記第２の支持骨部との間の空間における前記厚さ方向の前記下面側の位置に、前記第２及び第３の支持骨部から一体に前記下面に沿う方向に延在する下補強板が形成され、
前記下補強板、前記第２の支持骨部及び前記上補強板が、一体連続して前記基台の一部を形成していること。
【００１１】
（２）
上記（１）に記載の骨格ブロックにおいて、
前記基台には、前記上面から立設し、他の骨格ブロックの基台に形成された嵌合穴に先端が挿入される錘台形状の支持体が形成され、
前記第１及び第２の支持骨部のそれぞれは、前記複数の支持骨部のうち、前記支持体の基部を囲む形状を備えた支持骨部であり、
前記第１及び第２の支持骨部にて囲まれた環状領域にて前記上補強板が形成されたこと。
【００１２】
（３）
上記（１）又は上記（２）に記載の骨格ブロックにおいて、
前記基台は、正方形状に形成され、
前記基台には、前記上面から立設し、他の骨格ブロックの基台の上面に形成された嵌合穴に先端が挿入される錘台形状の支持体が２つ形成され、
前記基台の上面には、他の骨格ブロックの基台に形成された前記支持体の先端が挿入される前記嵌合穴が２つ形成され、
前記第１及び第２の支持骨部のそれぞれは、前記複数の支持骨部のうち、前記基台の外周を構成する一組の平行な２辺に対応する位置を両端部とし他の一組の２辺と平行に延びる支持骨部であり、
前記第１及び第２の支持骨部にて囲まれた細長の方形領域にて前記上補強板が形成されたこと。
【００１３】
上記（１）の構成の骨格ブロックによれば、基台を構成する複数の支持骨部の間の空間において、下補強板が形成された箇所と上補強板が形成された箇所とが隣り合って混在する。従って、下補強板のみが形成される形態と比べて、三次元構造体としての基台の強度が高まる。この結果、下補強板のみが形成される形態と比べて、水平方向の強度が高い骨格ブロックが提供される。
【００１４】
上記（２）の構成の骨格ブロックによれば、基台の上面側に形成された錘台形状の支持体の基部を囲む環状領域にて上補強板が形成され、この環状領域以外の領域を構成する複数の支持骨部の間の空間には下補強板が形成され得る。従って、特に、支持体に作用する水平方向の任意の向きの外力に対する基台の強度を高めることができる。
【００１５】
上記（３）の構成の骨格ブロックによれば、２本の平行な所謂「通しリブ」に囲まれた細長の方形領域にて上補強板が形成され、この方形領域以外の領域を構成する複数の支持骨部の間の空間には下補強板が形成され得る。一般に、三次元構造体において、「通しリブ」が形成された箇所の強度が高まる。従って、この構成では、基台における相対的に強度が高い箇所の強度を更に高めることができる。
【発明の効果】
【００１６】
本発明によれば、水貯留浸透施設の水平方向の強度が高い骨格ブロックを提供できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本発明の実施形態に係る骨格ブロックを用いて構成した骨格ブロック構造体が配置された水貯留浸透施設を示す概略構成図である。
【図２】図２は、本発明の実施形態に係る骨格ブロックの斜視図である。
【図３】図３は、図２に示した骨格ブロックの平面図である。
【図４】図４は、上補強板が設けられる領域を強調して示した図３に対応する図である。
【図５】図５は、図４の５−５断面図である。
【図６】図６は、図４の６−６断面図である。
【発明を実施するための形態】
【００１９】
本発明に関する具体的な実施形態について、各図を参照しながら以下に説明する。
【００２０】
（水貯留浸透施設の一例）
先ず、骨格ブロック１０の詳細について説明する前に、図１を参照しながら、骨格ブロック１０を用いて構成した骨格ブロック構造体が配置された水貯留浸透施設の一例について簡単に説明する。
【００２１】
図１に示すように、この水貯留浸透施設では、地面１を掘り下げて形成された、例えば平面形状が長方形又は正方形の凹部の内表面を内張層２で覆うことで、貯水空間が形成される。内張層２としては、遮水性シートもしくは半透水性シートあるいはこれを組合わせた多重シート、不織布、防水シート、砂利、コンクリート等が使用され得る。この貯水空間には、雨水等の流入通路３、及び、流出通路４が接続される。
【００２２】
この貯水空間内に、複数の骨格ブロック１０が水平方向に隣接配置され且つ垂直方向に積層されることで、複数の骨格ブロック１０からなる骨格ブロック構造体が貯水空間内に設置される。その後、骨格ブロック構造体が設置された貯水空間の上部開口に蓋部が設置され、外周部５が形成される。
【００２３】
図１に示すように、骨格ブロック１０を用いた骨格ブロック構造体の場合、下段の骨格ブロック１０の上に上下を逆さまにした上段の骨格ブロック１０を組み付けて得られる上下２段の骨格ブロック１０の集合体が、骨格ブロック構造体の１つの層を構成する。従って、図１に示す例では、６層の骨格ブロック構造体が示されている。
【００２４】
（骨格ブロックの全体構成）
次に、骨格ブロック１０の全体構成について、図２及び図３を参照しながら説明する。
【００２５】
図２及び図３に示すように、骨格ブロック１０は、平面形状が正方形であり且つ互いに平行な上面及び下面を有する平板状の基台２０を備える。基台２０は、基台２０の正方形状の外枠を構成する外周フレーム２１と、外周フレーム２１の内側空間にて外周フレーム２１と一体に連結された複数のリブ２２と、によって構成されている。
【００２６】
外周フレーム２１の上面、及び、複数のリブ２２の上面によって基台２０の上面が構成され、外周フレーム２１の下面、及び、複数のリブ２２の下面によって基台２０の下面が構成されている。ここで、外周フレーム２１、及び、複数のリブ２２が、本発明の「複数の支持骨部」に対応する。基台２０を構成する外周フレーム２１、及び、複数のリブ２２の詳細については後述する。
【００２７】
基台２０には、その上面から立設すると共に先端に近づくほど小径となる円錐台状の２つの同形の支持体３０が形成されている。また、基台２０の上面には、２つの同形の嵌合穴４０が形成されている。
【００２８】
平面視にて、２つの支持体３０のそれぞれの中心は、基台２０の外周形状である正方形（以下、「外周正方形」と呼ぶ）の一対の対角線のうち一方の対角線上に位置し、２つの嵌合穴４０のそれぞれの中心は、外周正方形の一対の対角線のうち他方の対角線上に位置している。平面視にて、２つの支持体３０、及び、２つの嵌合穴４０は、「２つの支持体３０の２つの中心と、２つの嵌合穴４０の２つの中心とを四隅とする四角形」が「外周正方形を０．５倍に縮小した正方形」となるように配置されている。
【００２９】
下段の骨格ブロック１０に上下を逆さまにした上段の骨格ブロック１０を近づけて、上段の骨格ブロック１０の支持体３０を下段の骨格ブロック１０の嵌合穴４０に挿入し、且つ、上段の骨格ブロック１０の嵌合穴４０に下段の骨格ブロック１０の支持体３０を挿入することによって、上下２段の骨格ブロック１０を互いに連結・固定することができる。
【００３０】
「上下２段の骨格ブロック１０の集合体」を構成する手法として、主として、以下の２つの手法がある。第１に、上下を逆さまにした上段の各骨格ブロック１０を、水平方向に縦横に隣接配置された下段の対応する１つの骨格ブロック１０と連結・固定する手法である。第２に、上下を逆さまにした上段の各骨格ブロック１０を、水平方向に縦横に隣接配置された下段の対応する４つの骨格ブロック１０と連結・固定する手法である（所謂「千鳥配置」）。この場合、水平方向に隣接する骨格ブロック１０同士を連結・固定する手段を省略することが可能になる。図１では、第１の手法によって構成された「上下２段の骨格ブロック１０の集合体」（＝１層）を積層した６層の骨格ブロック構造体が示されている。
【００３１】
なお、水平方向に隣接配置された「骨格ブロック１０」同士の連結・固定、並びに、上下方向に積層された「上下２段の骨格ブロック１０の集合体」同士の連結・固定は、例えば、所定の把持具を用いること、並びに、互いに連結される連結面の一方に設けた嵌合突起部と他方に設けた嵌合凹部とを嵌合すること等、によって達成され得る。
【００３２】
（骨格ブロックの基台の詳細な構成）
次に、骨格ブロック１０の基台２０の詳細な構成について、図２〜図６を参照しながら説明する。
【００３３】
上述のように、基台２０は、外周フレーム２１と、外周フレーム２１と一体に連結された複数のリブ２２と、によって構成されている。外周フレーム２１及び複数のリブ２２の、延在方向に直交する方向の断面形状は、上下方向に延びる細長形状（典型的には、長方形）を呈している。
【００３４】
図２及び図３に示すように、平面視にて、複数のリブ２２は、大略的には、外周正方形の一対の対角線のそれぞれに対して線対称に形成されている。また、複数のリブ２２の大部分が、外周正方形の一組の平行な２辺に対応する位置を両端部とし他の一組の２辺と平行に直線的に延びるリブ（所謂「通しリブ」）となっている。
【００３５】
以下、複数のリブ２２のうちで、特に、図２及び図３に示す１６本のリブ（通しリブ）２２ａ（図３にて、上下方向に延びる８本と、左右方向に延びる８本）に着目する。更に、これら１６本のリブ２２ａのうちで、特に、図４に太い実線で示すように、支持体３０の基部又は嵌合穴４０を正方形に囲む４つの部分に着目する。これら４つの部分のそれぞれは、正方形の環状領域を区画している。
【００３６】
図２〜図４に示す例では、基台２０を構成する複数の支持骨部（外周フレーム２１＋複数のリブ２２（２２ａ））により区画・形成されている隣り合う支持骨部の間の多数の空間のうちで、上記４つの環状領域に対応する空間についてのみ、基台２０の上面側に上補強板２３が設けられ、残りの全ての空間については、基台２０の下面側に下補強板２４が設けられている（図２を参照）。
【００３７】
例えば、図４にて最も左側で上下に延びる２本の通しリブ２２ａに関し、図４の５−５断面を示す図５に示すように、上記環状領域に対応する空間には上補強板２３が設けられ、図４の６−６断面を示す図６に示すように、上記環状領域に対応しない空間には下補強板２４が設けられている。
【００３８】
この例では、図５に示すように、上補強板２３は、隣り合う支持骨部の上端から一体に上面２０ａに沿って（即ち、基台２０の上面２０ａと面一となるように）延在しており、図６に示すように、下補強板２４は、隣り合う支持骨部の下端から一体に下面２０ｂに沿って（即ち、基台２０の下面２０ｂと面一となるように）延在している。
【００３９】
なお、上補強板２３は、隣り合う支持骨部の上端より少し下方の位置（厚さ方向の上面側の位置）から上面２０ａに沿って（即ち、基台２０の上面２０ａと段差が形成されるように）延在していてもよい。下補強板２４は、隣り合う支持骨部の下端より少し上方の位置（厚さ方向の下面側の位置）から下面２０ｂに沿って（即ち、基台２０の下面２０ｂと段差が形成されるように）延在していてもよい。また、上補強板２３及び下補強板２４は共に、対応する空間の全域に延在してもよい（即ち、対応する空間が完全に塞がれていてもよい）し、対応する空間の全域に延在しなくてもよい（即ち、対応する空間の一部が上下方向に貫通していてもよい）。
【００４０】
また、この例では、例えば、上述した図４にて最も左側で上下に延びる２本の通しリブ２２ａに関してみると、この２本の通しリブ２２ａの全体で囲まれた「細長の方形領域」（図４にて上下両端まで延びる縦長の長方形領域）に対応する空間には、上補強板２３が設けられる部分（即ち、上記環状領域に対応する部分）と、下補強板２４が設けられる部分（即ち、上記環状領域に対応しない部分）とが混在している、といえる。
【００４１】
以上、例えば、図４の５−５断面に関してみると、５−５断面に含まれる２本の通しリブ２２ａのうち右側のリブ２２ａ及び左側のリブ２２ａがそれぞれ、本発明の「第１の支持骨部」及び「第２の支持骨部」に対応し、左側のリブ２２ａの更に左に位置する（５−５断面に含まれない）外周フレーム２１が、本発明の「第３の支持骨部」に対応している。
【００４２】
（作用・効果）
本発明の実施形態に係る骨格ブロックによれば、基台２０を構成する複数の支持骨部（外周フレーム２１＋複数のリブ２２）の間の空間において、下補強板２４が形成された箇所と上補強板２３が形成された箇所とが隣り合って混在する。従って、下補強板２４のみが形成される形態と比べて、三次元構造体としての基台２０の強度が高まる。この結果、下補強板２４のみが形成される形態と比べて、水平方向の強度が高い骨格ブロック１０が提供され得る。
【００４３】
また、基台２０の上面側に形成された円錘台形状の支持体３０の基部、及び嵌合穴４０を正方形に囲む４つの環状領域（図４を参照）にて上補強板２３が形成され、この環状領域以外の領域を構成する複数の支持骨部の間の空間には下補強板２４が形成されている。従って、特に、支持体３０及び嵌合穴４０に作用する水平方向の任意の向きの外力に対する基台２０の強度を高めることができる。
【００４４】
また、２本の平行な通しリブ２２ａに囲まれた上述した「細長の方形領域」の一部にて上補強板２３が形成され、この「細長の方形領域」及び上記「環状領域」以外の領域を構成する複数の支持骨部の間の空間には下補強板２４が形成されている。一般に、三次元構造体において、「通しリブ」が形成された箇所の強度が高まる。従って、この構成では、基台２０における相対的に強度が高い箇所の強度を更に高めることができる。
【００４５】
（他の態様）
なお、本発明は上記実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４６】
例えば、上記実施形態では、上記環状領域（図４を参照）の全領域にて上補強板２３が形成されているが、上記環状領域（図４を参照）にて下補強板２４が形成された部分が含まれていてもよい。同様に、上記実施形態では、上記環状領域以外の領域を構成する複数の支持骨部の間の空間の全領域には下補強板２４が形成されているが、上記環状領域以外の領域を構成する複数の支持骨部の間の空間にて上補強板２３が形成された部分が含まれていてもよい。
【００４７】
また、上記実施形態では、上述した「細長の方形領域」の一部のみに上補強板２３が形成されているが、上述した「細長の方形領域」の全領域に上補強板２３が形成されていてもよい。また、「細長」でなく、より幅の広い領域に上補強板２３が形成されていてもよい。また、外周フレーム２１とリブ２２との間に上補強板２３が形成されていてもよい。
【００４８】
また、上記実施形態では、複数の支持骨部（外周フレーム２１、及び、複数のリブ２２）の（延在方向に直交する方向の）断面形状が、上下方向に延びる細長形状（典型的には、長方形）を呈しているが、この断面形状が、上下方向から傾いて延びる細長形状（典型的には、テーパ形状）であってもよい。
【００４９】
また、上記実施形態では、支持体３０が円錐台形状となっているが、支持体３０が、正方形の錐台形状や多角形（角数が５以上）の錐台形状となっていてもよい。また、支持体３０そのものが無くても良い。同様に、嵌合穴４０そのものが無くてもよい。
【００５０】
更には、上記実施形態では、骨格ブロック１０の平面形状が正方形となっているが、骨格ブロック１０の平面形状が、長方形、多角形（角数が５以上）、円形、楕円形等であってもよい。
【符号の説明】
【００５１】
１０  骨格ブロック
２０  基台
２０ａ  上面
２０ｂ  下面
２１  外周フレーム（支持骨部）
２２，２２ａ  リブ（支持骨部）
２３  上補強板
２４  下補強板
３０  支持体
４０  嵌合穴
【要約】
【課題】貯水空間に設置され、それぞれが水平方向に隣接配置され且つ垂直方向に積層されることにより骨格ブロック構造体を形成する骨格ブロックであって、水平方向の強度が高いものを提供することにある。
【解決手段】この骨格ブロック１０は、平板状の基台２０を備える。基台２０は、互いに一体に連結された複数の支持骨部（外周フレーム２１，リブ２２）によって構成される。基台２０を構成する複数の支持骨部（外周フレーム２１，リブ２２）の間の空間において、基台２０の上面と面一の上補強板２３が形成された箇所と、基台２０の下面と面一の下補強板２４が形成された箇所と、が隣り合って混在している。従って、下補強板２４のみが形成される形態と比べて、三次元構造体としての基台２０の強度が高まり、水平方向の強度が高い骨格ブロック１０が提供される。
【選択図】図２【図１】
0006017075.tif 000002
【図２】
0006017075.tif 000003
【図３】
0006017075.tif 000004
【図４】
0006017075.tif 000005
【図５】
0006017075.tif 000006
【図６】
0006017075.tif 000007